(57)【要約】【課題】受動型光加入者網システム及びそのシステムでの放送信号伝送方法を提供する。【解決手段】放送信号と、ランレングスが保証された符号化方式を用いたダウンストリームデータ光信号とを生成し、ダウンストリームデータ光信号及び放送信号を多重化して伝送する中央基地局と、伝送路を通じて中央基地局から受信した多重化されたダウンストリームデータ光信号及び放送信号を該当する少なくとも一つ以上の光加入者ユニットに伝送する地域基地局と、中央基地局と地域基地局との間の伝送路上に位置し、ダウンストリームデータ光信号をポンプ光源として使用して放送信号を増幅する利得媒体と、を備える受動型光加入者網システム。これにより、放送信号のための別途のポンプ光源なしに伝送路に位置した利得媒体を通じて放送信号を増幅することによって、高い利得を得ることができる。【選択図】図２
2006166465.tif 000002
【特許請求の範囲】
【請求項１】
放送信号と、ランレングスが保証された符号化方式を用いたダウンストリームデータ光信号とを生成し、前記ダウンストリームデータ光信号及び放送信号を多重化して伝送する中央基地局と、
伝送路を通じて前記中央基地局から受信した多重化されたダウンストリームデータ光信号及び放送信号を該当する少なくとも一つ以上の光加入者ユニットに伝送する地域基地局と、
前記中央基地局と前記地域基地局との間の伝送路上に位置し、前記ダウンストリームデータ光信号をポンプ光源として使用して前記放送信号を増幅する利得媒体と、を備えることを特徴とする受動型光加入者網システム。
【請求項２】
前記光加入者ユニットは、
前記地域基地局から受信した多重化されたダウンストリームデータ光信号及び放送信号を分離することを特徴とする請求項１に記載の受動型光加入者網システム。
【請求項３】
前記中央基地局は、
放送信号を生成する放送信号送信部と、
ランレングスが保証された符号化方式を用いてダウンストリームデータ光信号を生成する光送受信部と、
前記放送信号及び前記ダウンストリームデータ光信号を多重化する多重化部と、を備えることを特徴とする請求項１に記載の受動型光加入者網システム。
【請求項４】
前記光加入者ユニットは、アップストリームデータ光信号を生成し、
前記地域基地局は、少なくとも一つ以上の前記光加入者ユニットから受信したアップストリームデータ光信号を多重化して前記中央基地局に伝送し、
前記中央基地局は、前記アップストリームデータ光信号を受信することを特徴とする請求項１に記載の受動型光加入者網システム。
【請求項５】
中央基地局、地域基地局及び光加入者ユニットで構成された受動型光加入者網システムで放送信号を伝送する方法において、
前記中央基地局で放送信号と、ランレングスが保証された符号化方式を用いたダウンストリームデータ光信号とを生成して多重化して伝送するステップと、
前記中央基地局と前記地域基地局との間で、前記ダウンストリームデータ光信号をポンプ光源として使用して前記放送信号を増幅するステップと、
前記地域基地局で前記多重化されたダウンストリームデータ光信号及び放送信号を、該当する少なくとも一つ以上の前記光加入者ユニットに伝送するステップと、を含むことを特徴とする受動型光加入者網システムでの放送信号伝送方法。
【請求項６】
前記光加入者ユニットで、前記地域基地局から受信した多重化されたダウンストリームデータ光信号及び放送信号を分離するステップをさらに含むことを特徴とする請求項５に記載の受動型光加入者網システムでの放送信号伝送方法。
【発明の詳細な説明】
【技術分野】
【０００１】
本発明は、受動型光加入者網システム及びそのシステムでの放送信号伝送方法に係り、より詳細には、別途のポンプ光源なしに放送信号を増幅して伝送できる受動型光加入者網システム及びその方法に関する。
【背景技術】
【０００２】
高画質放送やゲームなどのデータ増加につれて、加入者網でも光ファイバーを利用したデータ伝送についての需要が増加しつつある。特に、大容量のマルチメディアデータと高画質放送とを同時に満足させるために、光加入者網では秒当り数十メガビットから数百メガビットに至るデータ及び数十チャンネルの高画質放送を相異なる波長で各加入者に伝送する。
【０００３】
図１は、従来の受動型光加入者網のシステム構造を示す図面である。
【０００４】
図１を参照すれば、受動型光加入者網システムは、中央基地局（Ｃｅｎｔｒａｌ Ｏｆｆｉｃｅ：ＣＯ）１００と、複数の光加入者ユニット（Ｏｐｔｉｃａｌ Ｎｅｔｗｏｒｋ Ｕｎｉｔ：ＯＮＵ）１２０と、中央基地局１００および各ＯＮＵ １２０を連結しデータ光信号と放送信号とを分配してアップストリームに光信号を多重化する地域基地局（Ｒｅｍｏｔｅ Ｎｏｄｅ：ＲＮ）１１０とで構成される。ＣＯ １００、ＲＮ １１０及びＯＮＵ １２０は光線路１３０、１３２を通じて連結される。
【０００５】
ＣＯ １００は、放送信号生成のための光送信器（Ｔｒａｎｓｍｉｔｔｅｒ ｆｏｒ Ｂｒｏａｄｃａｓｔ：ＴＸＢＣ）１０２と、伝送時に光伝送路の伝送損失を補償するための光増幅器１０４、データ信号を生成して光加入者からデータ信号を受信する光送受信器（Ｏｐｔｉｃａｌ Ｔｒａｎｓｃｅｉｖｅｒ ｆｏｒ Ｄａｔａ：ＯＴＲＸｄａｔａ）１０６及び放送信号とデータ信号とを多重化するための波長多重化器１０８で構成される。
【０００６】
ＲＮ １１０は、一つの光伝送路１３０を通じてＣＯ １００から受けたダウンストリームデータ信号及び放送信号をそれぞれの光加入者１２０に分配し、それぞれのＯＮＵ １２０から受けたアップストリームデータ信号を多重化してＣＯ １００に伝送する。
【０００７】
ＯＮＵ １２０は、ＣＯ １００からＲＮ １１０を通じて伝送されるダウンストリームデータ光信号と放送信号とを分離するための波長多重化／逆多重化器１２２と、放送信号の受信のための光受信器（Ｒｅｃｅｉｖｅｒ ｆｏｒ ｂｒｏａｄｃａｓｔ：ＲＸＢＣ）１２６と、ダウンストリームデータ信号を受信してアップストリームデータ信号を伝送するための光送受信器（Ｏｐｔｉｃａｌ Ｔｒａｎｓｃｅｉｖｅｒ ｆｏｒ ｄａｔａ：ＯＴＲＸｄａｔａ）１２４とで構成される。
【０００８】
このような方法は、非特許文献１に記述されている。
【０００９】
しかし、従来の光加入者網システムは、ＣＯに放送信号の伝送損失の補償のための光増幅器１０４を使用せねばならない。伝送損失補償のための光増幅器１０４は非常に高コストであり、多様な部品で構成されているために、構成が複雑であるのでシステム構成が複雑になるという短所がある。
【００１０】
このような問題を解決するために、光増幅器を使用せず、利得媒体のみを使用することで低コストの受動型光加入者網での放送信号を増幅する構造に関する研究論文及び特許があり、これらは次の通りである。
【００１１】
非特許文献２には、データ光源として１．４８μｍの波長を使用し、それを５ＭＨｚに位相変調してＯＮＵに伝送することによってデータ光信号として使用し、また、これを利得媒体内で放送信号のポンプ光源として同時に使用することを提案する。しかし、この場合、データ光源を位相変調せねばならないために、実際使用においてデータの伝送量が少なく、また位相変調器が備えられることによって構成が複雑になってデータ送信器のコストアップになる。
【００１２】
特許文献１は、ポンプ光源をＣＯでデータ信号及び放送信号と共に伝送することによって、ＲＮの利得媒体を通じて放送信号を増幅する方法であるが、この場合、ポンプ光源が割り当てられるためにコストアップになる。
【特許文献１】ＵＳ２００４／０１３１３５８ Ａ１公報（Ｐａｓｓｉｖｅ Ｏｐｔｉｃａｌ Ｎｅｔｗｏｒｋ Ｓｙｓｔｅｍ ｐｒｏｖｉｄｉｎｇ ｓｉｍｕｌｔａｎｅｏｕｓｌｙ ｂｏｔｈ ｂｒｏａｄｃａｓｔｉｎｇ ｓｅｒｖｉｃｅ ａｎｄ ｄａｔａ ｓｅｒｖｉｃｅ）
【非特許文献１】研究論文“Ｏｐｅｒａｔｉｏｎａｌ ｄｅｍｏｎｓｔｒａｔｉｏｎ ａｎｄ ｆｉｌｔｅｒ ａｌｉｇｎｍｅｎｔ ｓｔｕｄｙ ｏｆ ｍｕｌｔｉｐｌｅ ｂｒｏａｄｃａｓｔ ｖｉｄｅｏ ｄｅｌｉｖｅｒｙ ｏｎ ａ ＷＤＭ ｐａｓｓｉｖｅ ｏｐｔｉｃａｌ ｎｅｔｗｏｒｋ”，ＩＥＥＥ Ｐｈｏｔｏｎｉｃｓ Ｔｅｃｈｎｏｌｏｇｙ Ｌｅｔｔｅｒｓ，Ｖｏｌ．１０，Ｎｏ．９，ｐｐ１３３１−１３３３，Ｓｅｐｔ．１９９８
【非特許文献２】研究論文“Ｂｉｄｅｒｅｃｔｉｏｎａｌ ｔｒａｎｓｍｉｓｓｉｏｎ ｓｃｈｅｍｅ ｕｓｉｎｇ ｉｎｔｅｎｓｉｔｙ ｍｏｄｕｌａｔｉｏｎ ｏｆ １．４８μｍ ｐｕｍｐ ｌａｓｅｒ ｄｉｏｄｅ ｆｏｒ ｅｒｂｉｕｍ−ｄｏｐｅｄ ｆｉｂｅｒ ａｍｐｌｉｆｉｅｒ”，Ｅｌｅｃｔｒｏｎｉｃｓ Ｌｅｔｔｅｒｓ ３ｒｄ，Ｖｏｌ．２７，Ｎｏ．１，ｐｐ８９−９１，１９９１
【発明の開示】
【発明が解決しようとする課題】
【００１３】
本発明が解決しようとする技術的課題は、別途のポンプ光源なしに受動型光加入者網システムのＣＯとＲＮとの間の伝送路上に位置した利得媒体を通じて放送信号を増幅して伝送するシステム及びその方法を提供するところにある。
【課題を解決するための手段】
【００１４】
前記の技術的課題を達成するための、本発明による受動型光加入者網システムの一実施形態は、放送信号と、ランレングスが保証された符号化方式を用いたダウンストリームデータ光信号とを生成し、前記ダウンストリームデータ光信号及び放送信号を多重化して伝送するＣＯと、伝送路を通じて前記ＣＯから受信した多重化されたダウンストリームデータ光信号及び放送信号を該当する少なくとも一つ以上のＯＮＵに伝送するＲＮと、前記ＣＯと前記ＲＮとの間の伝送路上に位置し、前記ダウンストリームデータ光信号をポンプ光源として使用して前記放送信号を増幅する利得媒体と、を備える。
【００１５】
前記の技術的課題を達成するための、本発明による受動型光加入者網システムでの放送信号伝送方法の一実施形態は、ＣＯ、ＲＮ及びＯＮＵで構成された受動型光加入者網システムで放送信号を伝送する方法において、前記ＣＯで放送信号と、ランレングスが保証された符号化方式を用いたダウンストリームデータ光信号とを生成して多重化して伝送するステップと、前記ＣＯと前記ＲＮとの間で、前記ダウンストリームデータ光信号をポンプ光源として使用して前記放送信号を増幅するステップと、前記ＲＮで前記多重化されたダウンストリームデータ光信号及び放送信号を、該当する少なくとも一つ以上の前記ＯＮＵに伝送するステップと、を含む。
【００１６】
これにより、放送信号のための別途のポンプ光源なしに伝送路に位置した利得媒体を通じて放送信号を増幅することによって、高い利得を得ることができる。
【発明の効果】
【００１７】
本発明によれば、ＣＯは下方光信号を数ＭＨｚ以上にランレングスが保証された符号化方式を通じてエンコーディングしてダウンストリーム伝送し、また、この光信号をポンプ光源として使用することによって、ダウンストリーム伝送される放送信号を利得媒体を通じて増幅して加入者の受信感度を向上させることができる。したがって、安定した光リンクの構成が可能であり、経済性が確保された受動型光加入者網システムを実現できる。
【発明を実施するための最良の形態】
【００１８】
以下、添付された図面を参照して本発明による受動型光加入者網システム及び放送信号伝送方法について詳細に説明する。
【００１９】
図２は、本発明による受動型光加入者網システムの構造を示す図面である。
【００２０】
図２を参照すれば、受動型光加入者網システムは、ＣＯ ２００、ＲＮ ２１０、ＯＮＵ ２２０及び利得媒体２３０で構成される。
【００２１】
ＣＯ ２００は、放送信号送信部２０２、光送受信部２０４及び多重化部２０６で構成される。放送信号送信部２０２は、ＯＮＵに提供しようとする放送信号を生成する光源で構成され、光送受信部２０４は、ランレングスが保証された符号化方式を通じてダウンストリームデータ光信号を生成する。データ光信号は、放送信号と異なる一つの波長または複数の波長として、利得媒体２３０を通じて放送信号を増幅できる強度及び波長を持つ。
【００２２】
そして、多重化部２０６は、放送信号送信部２０２により生成された放送信号及び光送受信部２０４により生成されたダウンストリームデータ光信号を多重化して下方に伝送する。また、光送受信部２０４は、ＯＮＵ ２２０で生成されてＲＮ ２１０を通じて伝送されるアップストリームデータ光信号を受信する。
【００２３】
ＣＯ ２００、ＲＮ ２１０及びＯＮＵ ２２０のそれぞれは単一モード光ファイバーに連結され、利得媒体２３０は、ＣＯ ２００の後端、ＲＮ ２１０の前端またはＣＯ ２００とＲＮ ２１０とを連結する光線路のうちいずれか１ケ所に位置する。そして、利得媒体２３０は、ＣＯ ２００の光送受信部２０４により生成されたダウンストリームデータ光信号をポンプ光源として使用して放送信号を増幅する。
【００２４】
ＲＮ ２１０は、少なくとも一つ以上のＯＮＵ ２２０と連結されてＣＯ ２００から受信した多重化された放送信号及びダウンストリームデータ光信号を、該当する少なくとも一つ以上のＯＮＵ ２２０に分配する。また、ＲＮ ２１０は、ＯＮＵ ２２０から伝送されたアップストリームデータ光信号を多重化してＣＯ ２００に伝送する。そのために、ＲＮ ２１０は多重化／逆多重化／逆多重化装置２１２で構成され、多重化／逆多重化装置２１２としては、スプリッタ、ＡＷＧ（Ａｒｒａｙ Ｗａｖｅｌｅｎｇｔｈ Ｇｒａｎｔｉｎｇ）、導波路格子、グレーティング、カプラなどがある。
【００２５】
ＯＮＵ ２２０は、ＲＮ ２１０から受信した放送信号及びダウンストリームデータ光信号を分離する逆多重化部２２２、放送信号を受信する光受信部（ＲＸＢＣ）２２６及びダウンストリームデータ光信号を受信してアップストリームデータ光信号を生成する光送受信部（ＯＴＲＸＤＡＴＡ）２２４で構成される。
【００２６】
図３は、図２のＣＯの光送受信部の構成を示す図面である。
【００２７】
図３を参照すれば、ＣＯ ２００の光送受信部２０４は、下方光信号生成部３００、符号化部３０２及び電／光変換部３０４、アップストリーム信号受信部３１０、復号化部３１２、光／電変換部３１４及び信号選択部３２０で構成される。
【００２８】
まず、ダウンストリームデータ光信号について説明すれば、下方光信号生成部３００は、ダウンストリームデータ信号を生成し、符号化部３０２は、前記ダウンストリームデータ信号をランレングスが保証されるように符号化し、電／光変換部３０４は、電気信号であるダウンストリームデータ信号をダウンストリームデータ光信号に変換する。そして、信号選択部３２０は、ダウンストリームデータ光信号を選択して下方に伝送する。
【００２９】
次いで、アップストリームデータ光信号について説明すれば、ＯＮＵ ２２０により生成されてＲＮ ２１０を通じて光信号が受信されれば、信号選択部３２０は、アップストリームデータ光信号を光／電変換部３１４に伝送する。光／電変換部３１４は、光信号を電気信号に変換し、復号化部３１２は、電気信号に変換された信号を復号化し、アップストリーム信号受信部３１０は、復号化された信号を受信する。
【００３０】
図４は、本発明による受動型光加入者網システムでの放送信号伝送方法の一実施形態のフローを示すフローチャートである。
【００３１】
図４を参照すれば、ＣＯは、放送信号及びランレングスが保証された符号化方式を通じて下方光信号を生成して多重化して伝送する（Ｓ４００）。そして、ＣＯとＲＮとの間に位置した利得媒体は、下方光信号をポンプ光源として使用して放送信号を増幅する（Ｓ４１０）。ＲＮは、利得媒体を通じて増幅されて伝送される多重化された下方光信号及び放送信号を、該当する少なくとも一つ以上のＯＮＵに伝送する（Ｓ４２０）。
【００３２】
これまで本発明についてその望ましい実施形態を中心に説明した。当業者ならば、本発明が本発明の本質的な特性から逸脱しない範囲で変形された形態で具体化できるということを理解できるであろう。したがって、開示された実施形態は限定的な観点ではなく説明的な観点で考慮されねばならない。本発明の範囲は、前述した説明ではなく特許請求の範囲に現れており、それと同等な範囲内にあるあらゆる差異点は、本発明に含まれていると解釈されねばならない。
【産業上の利用可能性】
【００３３】
本発明は、受動型光加入者網システムで放送信号を増幅して伝送する関連技術分野に好適に用いられる。
【図面の簡単な説明】
【００３４】
【図１】従来の受動型光加入者網システム構造を示す図面である。
【図２】本発明による受動型光加入者網システムの構造を示す図面である。
【図３】図２のＣＯの光送受信部の構成を示す図面である。
【図４】本発明による受動型光加入者網システムでの放送信号伝送方法の一実施形態のフローを示すフローチャートである。
【符号の説明】
【００３５】
２００  ＣＯ
２０２  放送信号送信部
２０４  光送受信部
２０６  多重化部
２１０  ＲＮ
２１２  多重化／逆多重化装置
２２０  ＯＮＵ
２２２  逆多重化部
２２４  光送受信部（ＯＴＲＸＤＡＴＡ）
２２６  光受信部（ＲＸＢＣ）
２３０  利得媒体
【図１】
2006166465.tif 000003
【図２】
2006166465.tif 000004
【図３】
2006166465.tif 000005
【図４】
2006166465.tif 000006